(57)【要約】【課題】ＬＥＤ照明器具の取付位置を任意に変更することができるＬＥＤ照明用天井及びこれを用いた建物を得る。【解決手段】天井下地材２２の下面にはプラスターボード２４が張られ、その下面にはＬＥＤ照明用天井１０が取り付けられている。ＬＥＤ照明用天井１０の天井面３０には、複数の取付孔１６がグリッド状に形成されている。これに対応して、ＬＥＤ照明器具１４の上面側には、受電部４２及び固定用ダボ４４が立設されている。受電部４２及び固定用ダボ４４を取付孔１６に差込めば、電気的接続状態が確保される。従って、ＬＥＤ照明器具１４の取付位置を任意に変更できる。【選択図】図１
2010129390.tif 000002
【特許請求の範囲】
【請求項１】
天井面に設けられ、薄型のＬＥＤ照明器具の天井取付面側に突出状態で設けられた受電部が取外し可能に装着されると共に一又は二以上の溝或いは複数の孔によって構成された取付部と、
天井の内部又は上面側に設けられ、ＬＥＤ照明器具の受電部が前記取付部に装着されたときに、当該受電部に電気的に接続される給電手段と、
を有するＬＥＤ照明用天井。
【請求項２】
前記給電手段には、家庭用直流電源が接続されている、
ことを特徴とする請求項１記載のＬＥＤ照明用天井。
【請求項３】
前記家庭用直流電源は、商用電力系統電源及び外部独立電源の少なくとも一方から受電して蓄電する蓄電池である、
ことを特徴とする請求項２記載のＬＥＤ照明用天井。
【請求項４】
前記取付部は、所定の隙間をあけて隣接して配置された建物ユニット間の前記隙間に、天井面から突出しないように配設されている、
ことを特徴とする請求項１〜請求項３のいずれか１項に記載のＬＥＤ照明用天井。
【請求項５】
前記取付部は、前記受電部をスライド移動させるための連続した開口を下面側に備えた長尺状のレールとされている、
ことを特徴とする請求項４記載のＬＥＤ照明用天井。
【請求項６】
前記取付部は、天井面に規則的に設けられると共に各々同一の形状、大きさ、深さとされた複数個の孔によって構成されていると共に、
前記ＬＥＤ照明器具の天井取付面側には、前記孔に差込み可能な前記受電部と、当該受電部の周囲に立設されて対応する前記孔に差込み可能な固定用突起部と、が設けられている、
ことを特徴とする請求項１〜請求項３のいずれか１項に記載のＬＥＤ照明用天井。
【請求項７】
前記複数個の孔の内面には、ショート防止溝を挟んでプラス電極とマイナス電極とが対向してそれぞれ配置されている、
ことを特徴とする請求項６記載のＬＥＤ照明用天井。
【請求項８】
前記複数個の孔は、天井面にグリッド状に配置されている、
ことを特徴とする請求項６又は請求項７記載のＬＥＤ照明用天井。
【請求項９】
請求項１〜請求項８のいずれか１項に記載されたＬＥＤ照明用天井は、独立した一枚のパネル材として構成されている、
ことを特徴とするＬＥＤ照明用天井。
【請求項１０】
天井に配設される天井下地材と、
この天井下地材の上面側に連続して敷き詰められる断熱材と、
天井下地材の下面側に組み付けられる請求項９記載のＬＥＤ照明用天井と、
を有する建物。
【発明の詳細な説明】
【技術分野】
【０００１】
本発明は、ＬＥＤ照明用天井及びこれを用いた建物に関する。
【背景技術】
【０００２】
下記特許文献１には、薄型化したＬＥＤ照明装置の一例が開示されている。簡単に説明すると、このＬＥＤ照明装置では、点灯装置の周囲に複数のＬＥＤが略同一平面内となるように配置されている。これにより、ＬＥＤ照明装置の全高を低くし、天井面に取り付けた場合に天井面からの突出量を少なくしている。
【特許文献１】特開２００３−８６００６号公報
【発明の開示】
【発明が解決しようとする課題】
【０００３】
しかしながら、上記先行技術による場合、以下に説明する課題がある。すなわち、ＬＥＤ照明装置を天井面に固定することを前提としているため、ＬＥＤ照明装置を一旦天井に取り付けると、取り外さない限りＬＥＤ照明装置の取付位置を変えることはできない。従って、住宅のプランニングの変更があった場合や、将来家族構成が変わる等して内装を変更する場合に簡単に対応することができない。
【０００４】
本発明は上記事実を考慮し、ＬＥＤ照明器具の取付位置を任意に変更することができるＬＥＤ照明用天井及びこれを用いた建物を得ることが目的である。
【課題を解決するための手段】
【０００５】
請求項１の発明に係るＬＥＤ照明用天井は、天井面に設けられ、薄型のＬＥＤ照明器具の天井取付面側に突出状態で設けられた受電部が取外し可能に装着されると共に一又は二以上の溝或いは複数の孔によって構成された取付部と、天井の内部又は上面側に設けられ、ＬＥＤ照明器具の受電部が前記取付部に装着されたときに、当該受電部に電気的に接続される給電手段と、を有している。
【０００６】
請求項２の発明は、請求項１記載のＬＥＤ照明用天井において、前記給電手段には、家庭用直流電源が接続されている、ことを特徴としている。
【０００７】
請求項３の発明は、請求項２記載のＬＥＤ照明用天井において、前記家庭用直流電源は、商用電力系統電源及び外部独立電源の少なくとも一方から受電して蓄電する蓄電池である、ことを特徴としている。
【０００８】
請求項４の発明は、請求項１〜請求項３のいずれか１項に記載のＬＥＤ照明用天井において、前記取付部は、所定の隙間をあけて隣接して配置された建物ユニット間の前記隙間に、天井面から突出しないように配設されている、ことを特徴としている。
【０００９】
請求項５の発明は、請求項４記載のＬＥＤ照明用天井において、前記取付部は、前記受電部をスライド移動させるための連続した開口を下面側に備えた長尺状のレールとされている、ことを特徴としている。
【００１０】
請求項６の発明は、請求項１〜請求項３のいずれか１項に記載のＬＥＤ照明用天井において、前記取付部は、天井面に規則的に設けられると共に各々同一の形状、大きさ、深さとされた複数個の孔によって構成されていると共に、前記ＬＥＤ照明器具の天井取付面側には、前記孔に差込み可能な前記受電部と、当該受電部の周囲に立設されて対応する前記孔に差込み可能な固定用突起部と、が設けられている、ことを特徴としている。
【００１１】
請求項７の発明は、請求項６記載のＬＥＤ照明用天井において、前記複数個の孔の内面には、ショート防止溝を挟んでプラス電極とマイナス電極とが対向してそれぞれ配置されている、ことを特徴としている。
【００１２】
請求項８の発明は、請求項６又は請求項７記載のＬＥＤ照明用天井において、前記複数個の孔は、天井面にグリッド状に配置されている、ことを特徴としている。
【００１３】
請求項９の発明に係るＬＥＤ照明用天井は、請求項１〜請求項８のいずれか１項に記載されたＬＥＤ照明用天井は、独立した一枚のパネル材として構成されている、ことを特徴としている。
【００１４】
請求項１０の発明に係る建物は、天井に配設される天井下地材と、この天井下地材の上面側に連続して敷き詰められる断熱材と、天井下地材の下面側に組み付けられる請求項９記載のＬＥＤ照明用天井と、を有している。
【００１５】
請求項１記載の本発明によれば、天井面には一又は二以上の溝或いは複数の孔によって構成された取付部が設けられており、この取付部に薄型のＬＥＤ照明器具の受電部を装着させることにより、ＬＥＤ照明器具を天井面に取り付けることができる。天井の内部又は上面側には給電手段が設けられており、受電部が取付部に取り付けられると、受電部と給電手段との電気的な接続状態が確保される。
【００１６】
ここで、住宅のプランニングの変更があった場合や、将来家族構成が変わる等して内装を変更する場合においてＬＥＤ照明器具の取付位置を変えたい場合には、ＬＥＤ照明器具の受電部を取付部から取外し、別の取付部に受電部を再度装着させればよい。従って、ワンタッチ又はそれに近いかたちで、ＬＥＤ照明器具の取付位置の変更（レイアウト変更）を行うことができる。また、取付位置の変更に際して、別の仕様のＬＥＤ照明器具を装着させることも可能になる。
【００１７】
請求項２記載の本発明によれば、給電手段には家庭用直流電源が接続されているので、インバータ等の設備機器を設置することなく、ＬＥＤ照明器具に直結させることができる。
【００１８】
請求項３記載の本発明によれば、家庭用直流電源は、商用電力系統電源及び外部独立電源の少なくとも一方から受電して蓄電する蓄電池とされているので、安い深夜電力又は外部独立電源から取り込んだ電力を一旦蓄電池に溜めて、ＬＥＤ照明器具の使用時に蓄電池で溜めた電力を使うことができる。
【００１９】
請求項４記載の本発明によれば、取付部は、所定の隙間をあけて隣接して配置された建物ユニット間の隙間に配設されているので、建物ユニットを組み合わせて構成されるユニット建物では元々形成される隙間を有効に活用することができる。換言すれば、建物ユニットの天井面に新たに取付部を設ける必要がない。また、取付部は天井面から突出しないように配設されているので、天井面の意匠を損なうこともない。
【００２０】
請求項５記載の本発明によれば、取付部は、受電部をスライド移動させるための連続した開口を下面側に備えた長尺状のレールとされているので、レールの軌道上であればＬＥＤ照明器具を任意の位置に配置することができる。つまり、隣接する建物ユニットの境界に沿ってＬＥＤ照明器具を好きな位置に移動させて使用することができる。
【００２１】
請求項６記載の本発明によれば、取付部は天井面に規則的に設けられると共に各々同一の形状、大きさ、深さとされた複数個の孔によって構成されており、ＬＥＤ照明器具を装着する際には、受電部と固定用突起部とを複数の孔に差し込めばよい。
【００２２】
請求項７記載の本発明によれば、複数個の孔の内面にはショート防止溝を挟んでプラス電極とマイナス電極とが対向してそれぞれ配置されているので、ＬＥＤ照明器具の受電部を取付部である孔に差し込むと同時に電気的接続状態が確保される。
【００２３】
請求項８記載の本発明によれば、複数個の孔は天井面にグリッド状に配置されているので、受電部及び固定用突起部の差込み時に、両者と孔との位置合わせを容易に行うことができる。
【００２４】
請求項９記載の本発明によれば、請求項１〜請求項８のいずれか１項に記載されたＬＥＤ照明用天井が独立した一枚のパネル材として構成されているので、複数枚をまとめて運搬及び保管することができる。
【００２５】
請求項１０記載の本発明によれば、天井下地材の上面側には断熱材が連続して敷き詰められており、又天井下地材の下面側にはパネル材として構成された請求項９記載のＬＥＤ照明用天井が組み付けられて、建物の天井が構成される。つまり、ＬＥＤ照明用天井の取付は天井下地材の下面側で完結する。このため、天井下地材の上面側に敷き詰められる断熱材に不連続な部分が形成されることがない。
【発明の効果】
【００２６】
以上説明したように、請求項１記載の本発明に係るＬＥＤ照明用天井は、ＬＥＤ照明器具の取付位置を任意に変更することができるという優れた効果を有する。
【００２７】
請求項２記載の本発明に係るＬＥＤ照明用天井は、付帯設備を最小限に抑えつつ、ＬＥＤ照明システムを導入することができるという優れた効果を有する。
【００２８】
請求項３記載の本発明に係るＬＥＤ照明用天井は、低コストでＬＥＤ照明システムを構築することができるという優れた効果を有する。
【００２９】
請求項４記載の本発明に係るＬＥＤ照明用天井は、既存の天井をそのまま利用することができると共に天井面の意匠を良好に保つことができるという優れた効果を有する。
【００３０】
請求項５記載の本発明に係るＬＥＤ照明用天井は、ユニット建物の特長を活かしてレールの付加という最小限の構成でＬＥＤ照明器具の取付位置の変更を実現することができるという優れた効果を有する。
【００３１】
請求項６記載の本発明に係るＬＥＤ照明用天井は、ワンタッチ操作でＬＥＤ照明器具を天井面に取り付けることができるという優れた効果を有する。
【００３２】
請求項７記載の本発明に係るＬＥＤ照明用天井は、ワンタッチ操作でＬＥＤ照明器具の天井面への取付と電気的接続状態の確保の両方を行うことができるという優れた効果を有する。
【００３３】
請求項８記載の本発明に係るＬＥＤ照明用天井は、ＬＥＤ照明器具の取付作業をより一層簡単に行うことができるという優れた効果を有する。
【００３４】
請求項９記載の本発明に係るＬＥＤ照明用天井は、運搬及び保管効率を上げることでトータルコストを削減することができるという優れた効果を有する。
【００３５】
請求項１０記載の本発明に係る建物は、照明器具の配置の変更（住空間のデザイン変更）を容易に行うことができ、しかも断熱性を向上させることができるという優れた効果を有する。
【発明を実施するための最良の形態】
【００３６】
〔第１実施形態〕
【００３７】
以下、図１〜図８を用いて、本発明に係るＬＥＤ照明用天井の第１実施形態について説明する。
【００３８】
図５には、本実施形態に係るＬＥＤ照明用天井の外観斜視図が示されている。この図に示されるように、ＬＥＤ照明用天井１０は、矩形のパネル状に形成されている。ＬＥＤ照明用天井１０の天井面３０にはグリッド状の意匠が施されており、その中央部には薄型矩形状の大型のＬＥＤ照明器具１２が２個並列的に配置されている。さらに、ＬＥＤ照明用天井１０の天井面の四隅には、薄型円盤状の小型のＬＥＤ照明器具１４がそれぞれ配置されている。なお、図５に示されるＬＥＤ照明器具１２、１４のレイアウト及び設置個数は一例であり、後述するようにレイアウト及び設置個数は任意に変更可能である。
【００３９】
図６には、上記ＬＥＤ照明用天井１０の拡大正面図が示されている。この図に示されるように、ＬＥＤ照明用天井１０には、各々同一内径の円孔として構成された複数の取付孔１６が縦横に等間隔に形成されている。これにより、ＬＥＤ照明用天井１０の天井面にグリッド状の意匠が施されている。なお、補足すると、図５には、グリッド線１８が図示されており、図６にはグリッド線１８が図示されていないが、これは、意匠としてグリッド線１８を設けてもよいし、又グリッド線１８を設けずに交点のみをグリッド状に配列した意匠を採用してもよいという意味である。因みに、図５に示されるグリッド線１８は互いに直交して正方形を形成していくタイプの線であるが、菱形が形成されるように斜めにグリッド線を引いてもよい。すなわち、請求項８に記載された「グリッド状」には、完全な正方格子形が含まれる他、そこから派生した格子状も含まれ、グリッド線がある場合とない場合の両方が含まれる。
【００４０】
図１には、上述したＬＥＤ照明用天井１０の内部及び周辺構造を示す分解図が示されている。この図に示されるように、ＬＥＤ照明用天井１０は、元々建物の室内に存在している天井２０の下面に取り付けられている。
【００４１】
具体的には、天井２０には天井下地材２２が配置されており、更にその下面には天井面を形成するプラスターボード２４が張られている。また、天井下地材２２の上面側には、断熱材２６が敷き詰められている。そして、プラスターボード２４の下面側にＬＥＤ照明用天井１０が取り付けられている。つまり、ＬＥＤ照明用天井１０は、既存の天井２０に対して後付け可能である。但し、建築時にプラスターボード２４を取り付けることなく、ＬＥＤ照明用天井１０を直接天井下地材２２に取り付けるようにしてもよい。
【００４２】
図２には、ＬＥＤ照明用天井１０にＬＥＤ照明器具１４が取付けられた状態の縦断面図が示されている。この図に示されるように、ＬＥＤ照明用天井１０は、所定厚さの天井パネル２８を備えている。この天井パネル２８の天井面３０側に、上述した複数の取付孔１６が形成されている。但し、取付孔１６は、天井パネル２８を貫通していない。つまり、取付孔１６は天井面３０側に開口し、天井面３０と反対側の面には開口していない。
【００４３】
図２及び図３に示されるように、取付孔１６は円柱状に形成されており、その内周面には各々略円弧状に形成されたプラス電極３２とマイナス電極３４とが半径方向に対向して配置されている。つまり、プラス電極３２及びマイナス電極３４は取付孔１６の内周面に沿って周方向に配置されており、その表面が取付孔１６内に露出するように配置されている。また、プラス電極３２の両端部とマイナス電極３４の両端部との間には、ショート防止溝３６が形成されている。さらに、プラス電極３２及びマイナス電極３４の高さは、取付孔１６の深さよりも低く設定されている。そして、取付孔１６の開口に端部を揃えてマイナス電極３４が配置されていると共に、取付孔１６の底面に端部を揃えてプラス電極３２が配置されている。従って、プラス電極３２とマイナス電極３４は取付孔１６の軸方向にずれて配置されている。
【００４４】
上記プラス電極３２の両端部からは第１導電体３８がそれぞれ延出されており、又マイナス電極３４の両端部からは第２導電体４０がそれぞれ延出されている。従って、プラス電極３２とマイナス電極３４とは、平面視で見ても側面視で見ても互いに平行に配置されている。なお、上記構成において、プラス電極３２、マイナス電極３４、第１導電体３８及び第２導電体４０が、本発明における「給電手段」に相当する。
【００４５】
次に、ＬＥＤ照明器具１４側の構成について説明する。ＬＥＤ照明器具１４の上面側中心部には、円柱状の受電部４２が立設されている。受電部４２はＬＥＤ照明器具１４に給電するための接続部であり、取付孔１６に嵌合される径方向寸法に設定されている。また、受電部４２は側断面視ではＺ状に形成されており、上端部４２Ａと下端部４２Ｂとを備えている。受電部４２を取付孔１６に嵌合させた状態では、上端部４２Ａがマイナス電極３４に接触し、下端部４２Ｂがプラス電極３２に接触するようになっている。
【００４６】
また、ＬＥＤ照明器具１４の上面側には、受電部４２を挟んで等距離となる位置（十字を形成する四箇所）に複数の固定用ダボ４４が立設されている。固定用ダボ４４は円柱状に形成されており、その外径は取付孔１６の内径に略一致されている。また、図４（Ｂ）に示されるように、固定用ダボ４４は半径方向にスライド可能とされている。スライド構造としては、例えば、ＬＥＤ照明器具１４の上面側に軌道を形成するための一対のガイドを切り起こし等により形成すると共に、固定用ダボ４４の基端部の外周面にガイドが差込み可能な環状の溝を形成する。そして、一対のガイドの先端を固定用ダボ４４の溝に差込み、ガイドの長手方向の中間部にセットする。さらに、ガイドの長手方向の両端部には一対の圧縮コイルスプリング等の付勢手段を装着させ、固定用ダボ４４の基端部をガイドの長手方向の両端部から長手方向の中間部へ向けて押圧付勢するようにする。このようにすれば、図６において、十字上に位置する４個の取付孔１６Ａに固定用ダボ４４を嵌合させる場合には、そのまま取り付ければよく、対角線上に位置する４個の取付孔１６Ｂに固定用ダボ４４を取り付ける場合には固定用ダボ４４をガイドに沿って径方向外側へスライドさせて取付孔１６Ｂに嵌合させればよい。
【００４７】
次に、図７を用いて、上述したＬＥＤ照明用天井１０を組み込んだ電力供給システム５０について説明する。
【００４８】
電力供給システム５０は、家庭用直流電源及び蓄電池としてのバッテリ５２及び制御部５４を備えた蓄電部５６を備えている。蓄電部５６には、商用電力系統電源５８及び太陽電池等の外部独立電源６０がＡＣ線６２を介して接続されている。外部独立電源６０と蓄電部５６とを繋ぐＡＣ線６２上には、直流を交流に変換するインバーター６４が介在されている。
【００４９】
一方、上述した蓄電部５６は、ＤＣ線６６を介して宅内６８のＬＥＤ照明器具１４に接続されている。なお、前述したＬＥＤ照明用天井１０の第１導電体３８及び第２導電体４０は、ＤＣ線６６の一部でもある。また、蓄電部５６はＡＣ線７０を介して宅内６８とも接続されている。なお、このＡＣ線７０上には直流を交流に変換するインバーター７２が介在されている。
【００５０】
さらに、上述した外部独立電源６０は、ＤＣ線７４を介してＬＥＤ照明器具１４と直接接続されている。
【００５１】
なお、バッテリ５２としては、例えば、ニッケル水素蓄電池や鉛蓄蓄電池、ニッケルカドミウム蓄電池といった蓄電池が適用可能であるが、他の蓄電池であってもよい。また、制御部５４は、バッテリ５２の温度を蓄電に最適となるように調整すると共に、バッテリ５２への蓄電と放電の切換を制御している。
【００５２】
（作用・効果）
【００５３】
次に、本実施形態の作用並びに効果について説明する。
【００５４】
ＬＥＤ照明用天井１０には複数の取付孔１６が規則的にグリッド状に形成されている。このＬＥＤ照明用天井１０に、例えば、前述した薄型円盤状のＬＥＤ照明器具１４を取り付ける場合、受電部４２を任意の取付孔１６に差込むと同時に、４本の固定用ダボ４４を対応する取付孔１６に差込めばよい。なお、受電部４２を差込む取付孔１６を中心に見て十字上に位置する取付孔１６Ａ（図６参照）に固定用ダボ４４を差込む場合にはそのまま差込めばよいが、対角線上に位置する取付孔１６Ｂ（図６参照）に固定用ダボ４４を差込む場合には固定用ダボ４４を径方向外側へスライドさせて差込むようにするとよい。
【００５５】
上記の如くして、ＬＥＤ照明器具１４がＬＥＤ照明用天井１０の取付孔１６に完全に装着された状態では、受電部４２の上端部４２Ａがマイナス電極３４に接触して導通状態となり、又受電部４２の下端部４２Ｂがプラス電極３２に接触して導通状態となる。これにより、給電手段との電気的接続状態が確保される。
【００５６】
そこで次に、電力供給システム５０の作動について説明すると、商用電力系統電源５８からコストの安い深夜電力を受電してＡＣ線６２を介して蓄電部５６に流す。蓄電部５６では、制御部５４によって交流を直流に変換し、バッテリ５２に蓄電する。なお、制御部５４は、蓄電性能が良好に発揮されるようにバッテリ５２の温度環境も制御している。
【００５７】
バッテリ５２に蓄電された電力は、昼間又は深夜までの夜間の電力を賄う。すなわち、バッテリ５２に蓄電された電力は、インバーター７２で直流から交流に変換された後、ＡＣ線７０を通って宅内６８に供給され、交流機器に通電される。また、ＬＥＤ照明器具１４を点灯する場合は、バッテリ５２からＤＣ線６６を使ってＬＥＤ照明器具１４に直接給電される。
【００５８】
また、電力供給システム５０は太陽電池等の外部独立電源６０を備えているので、外部独立電源６０からＤＣ線７４を使ってＬＥＤ照明器具１４に直接給電することもできる。このように外部独立電源６０とＬＥＤ照明器具１４等の直流機器をＤＣ専用線で繋ぐことにより、コンバートによるロスがなく、シンプルかつコンパクトで安価な照明を実現することができる。なお、外部独立電源６０で発電された電力は、電力会社に適宜売電される。
【００５９】
ここで、住宅等の建物のプランニングの変更があった場合や、将来家族構成が変わる等して内装を変更する場合においてＬＥＤ照明器具１４の取付位置を変えたい場合には、ＬＥＤ照明器具１４の受電部４２及び固定用ダボ４４を取付孔１６から取外し、別の取付孔１６に受電部４２及び固定用ダボ４４を再度装着させればよい。従って、ワンタッチ又はそれに近いかたちで、ＬＥＤ照明器具１４の取付位置を任意に変更することができる（照明レイアウトの変更を行うことができる）。また、取付位置の変更に際して、別の仕様のＬＥＤ照明器具を装着させることも可能になる。このように本実施形態によれば、ライフサイクルの永きに亘り、多彩な照明空間を演出することができる。
【００６０】
また、本実施形態では、バッテリ５２を使った電力供給システム５０を備えているので、インバータ等の設備機器を設置することなく、蓄電部５６（バッテリ５２）とＬＥＤ照明器具１４とをＤＣ線７４、６６で直結させることができる。その結果、本実施形態によれば、付帯設備を最小限に抑えつつ、ＬＥＤ照明システムを導入することができる。
【００６１】
さらに、本実施形態の電力供給システム５０では、バッテリ５２が商用電力系統電源５８及び外部独立電源６０の両方から受電して蓄電することができるので、安い深夜電力又は外部独立電源から取り込んだ電力を一旦バッテリ５２に溜めて、ＬＥＤ照明器具１４の使用時にバッテリ５２で溜めた電力を使うことができる。その結果、本実施形態によれば、低コストでＬＥＤ照明システムを構築することができる。
【００６２】
また、本実施形態では、ＬＥＤ照明用天井１０の天井面３０に各々同一の形状、大きさ、深さとされた複数の取付孔１６が規則的に設けられているので、ＬＥＤ照明器具１４を装着する際には、受電部４２と固定用ダボ４４とを複数の取付孔１６に差し込むだけでよい。その結果、本実施形態によれば、ワンタッチ操作でＬＥＤ照明器具１４を天井面３０に取り付けることができる。
【００６３】
さらに、本実施形態では、複数の取付孔１６の内周面にショート防止溝３６を挟んでプラス電極３２とマイナス電極３４とが対向してそれぞれ配置されているので、ＬＥＤ照明器具１４の受電部４２を取付孔１６に差し込むと同時に電気的接続状態が確保される。よって、ワンタッチ操作でＬＥＤ照明器具１４の天井面３０への取付と電気的接続状態の確保の両方を行うことができる。
【００６４】
また、本実施形態では、複数の取付孔１６は天井面３０にグリッド状に配置されているので、受電部４２及び固定用ダボ４４の差込み時に、両者と取付孔１６との位置合わせを容易に行うことができる。その結果、本実施形態によれば、ＬＥＤ照明器具の取付作業をより一層簡単に行うことができる。
【００６５】
さらに、本実施形態では、ＬＥＤ照明用天井１０が独立した一枚のパネル材として構成されているので、複数枚をまとめて運搬及び保管することができる。従って、運搬及び保管効率を上げることでトータルコストを削減することができる。
【００６６】
また、本実施形態では、天井下地材２２の上面側には断熱材２６が連続して敷き詰められており、又天井下地材２２の下面側にはパネル材として構成されたＬＥＤ照明用天井１０が組み付けられて、建物の天井２０が構成される。つまり、ＬＥＤ照明用天井１０の取付は天井下地材２２の下面側で完結する。このため、天井下地材２２の上面側に敷き詰められる断熱材２６に不連続な部分が形成されることがない。その結果、本実施形態によれば、ＬＥＤ照明器具１４の配置の変更（住空間のデザイン変更）を容易に行うことができ、しかも断熱性を向上させることができる。
【００６７】
この効果について補足すると、図８（Ａ）に示されるように、従来型のダウンライト８０は天井８２に穴８４をあけてバネ８６を利用して埋め込んでいた。そのため、ダウンライト８０の受電部８８及び配線９０が天井２０の裏へ周り、断熱材９２に配線孔９４を形成する必要が生じ、断熱材２６に不連続な部分が形成される。また、天井８２の穴の周囲に隙間９６が形成されるので、冷気や音が室内へ入り込むと共に熱損失も大きかった。さらに、天井８２への穴あけ作業や断熱材９２の穴あけ作業が必要となるので、施工性も低かった。なお、図８（Ｂ）に示されるように、ダウンライト８０を通常の結線による納まりでかつフック９８に引っ掛けて固定する構成を採った場合と比較しても、同様の問題が生じる。
【００６８】
これに対し、上記本実施形態に係るＬＥＤ照明用天井１０の場合には、このような隙間９６が形成されることもなく、断熱材２６は連続した状態が維持されるので、断熱性を向上ささせることができる。また、穴あけ作業も不要になるので、施工性を向上させることができる。
【００６９】
〔第２実施形態〕
【００７０】
以下、図９を用いて、本発明に係るＬＥＤ照明用天井の第１実施形態について説明する。なお、前述した第１実施形態と同一構成部分については、同一番号を付してその説明を省略する。
【００７１】
図９に示されるように、この第２実施形態に係るＬＥＤ照明用天井１００では、ユニット建物１０２において隣接する建物ユニット１０４間の隙間１０６に配線ダクト１０８を設け、この配線ダクト１０８に薄型のＬＥＤ照明器具１１０をスライド可能に支持させた点に特徴がある。
【００７２】
具体的に説明すると、ユニット建物１０２では、下階側に隣接して配置された２個の建物ユニット１０４間に所定の隙間１０６が形成されている。また、上階側に隣接して配置された２個の建物ユニット１０４間にも同様の隙間１１４が形成されている。上下階の隙間１０６、１１４は相互に連通されている。
【００７３】
下階側の建物ユニット１０４の天井１１６は、矩形枠状に配置される天井大梁１１８を備えており、その下フランジ側にはプラスターボード等によって構成された天井面材１２０及び天井下地材１１９が取り付けられている。同様に、上階側の建物ユニット１０４の床１２２は、矩形枠状に配置された床大梁１２４を備えており、その上フランジ側にはプラスターボード等によって構成された床面材１２６及び床下地材１２８が取り付けられている。
【００７４】
上述した下階側の建物ユニット１０４の天井下地材１１９間には、リップ付き溝型鋼を用いて形成されたレールとしての長尺状の配線ダクト１０８が配設されている。配線ダクト１０８が組付けられた状態では、配線ダクト１０８の下端部（リップ）が天井面１２１（天井面材１２０の下面）から突出しないように（略面一になるように）配置されている。配線ダクト１０８の底部には、ＤＣ線１３０が接続されている。また、配線ダクト１０８の一方のフランジはプラス電極とされ、他方のフランジはマイナス電極とされている。
【００７５】
そして、上記配線ダクト１０８内にＬＥＤ照明器具１２の受電部１３２が下方側から挿入及び係止されている。なお、受電部１３２はＴ字状に形成されており、頭部１３２Ａを配線ダクト１０８の溝１３４に対して平行に向き合わせることにより、配線ダクト１０８内へ挿入することができ、挿入後９０度回転させることにより両リップに係止させることができる。
【００７６】
（作用・効果）
【００７７】
上記構成によれば、配線ダクト１０８に沿って受電部１３２をスライドさせることにより、ＬＥＤ照明器具１２の取付位置を配線ダクト１０８上の任意の位置に変更することができる。従って、前述した第１実施形態と同様の作用効果が得られる。
【００７８】
また、本実施形態では、隣接して配置された建物ユニット１０４間の隙間１０６に配線ダクト１０８が配設されているので、ユニット建物１０２において元々形成される隙間１０６を有効に活用することができる。換言すれば、建物ユニット１０４の天井面１２１に新たに取付部を設ける必要がない。また、配線ダクト１０８は天井面１２１から突出しないように配設されているので、天井面１２１の意匠を損なうこともない。よって、本実施形態によれば、既存の天井１１６をそのまま利用することができると共に天井面１２１の意匠を良好に保つことができる。
【００７９】
さらに、上記の通り、本実施形態では、取付部は、受電部１３２をスライド移動させるための連続した開口（溝１３４）を下面側に備えた長尺状の配線ダクト１０８とされているので、配線ダクト１０８の軌道上であればＬＥＤ照明器具１２を任意の位置に配置することができる。つまり、隣接する建物ユニット１０４の境界に沿ってＬＥＤ照明器具１２を好きな位置に移動させて使用することができる。その結果、本実施形態によれば、ユニット建物１０２の特長を活かして配線ダクト１０８の付加という最小限の構成でＬＥＤ照明器具１２の取付位置の変更を実現することができる。
【００８０】
〔上記実施形態の補足説明〕
【００８１】
上述した第１実施形態に係るＬＥＤ照明用天井１０では、天井面３０に複数の取付孔１６がグリッド状に形成されていたが、これに限らず、図１０に示されるように、複数の取付孔１６に替えて第２実施形態の配線ダクト１０８を適用してもよい。すなわち、このＬＥＤ照明用天井１４０では、天井パネル２８の天井面３０側に、外周に沿って矩形枠状に配線ダクト１０８Ａが埋設されていると共に、その内部に十字状に配線ダクト１０８Ｂが配設されている。この構成によれば、ＬＥＤ照明器具１４は、配線ダクト１０８Ａに沿って外周を矩形枠状にスライド移動することができると共に、配線ダクト１０８Ｂに沿って内部を十字状にスライダ移動することができる。また、この構成の場合、配線ダクト１０８Ａ、１０８Ｂごとに直流と交流の設定を個別にして一般照明も併用するといったことも可能になる。
【００８２】
上述した第２実施形態では、合計６本の配線ダクト１０８によって取付部が構成されていたが、これに限らず、１本でもよい。配線ダクトが仮に１本だとしても、その範囲でＬＥＤ照明器具をスライドさせて取付位置を変えることができるので、差し支えない。
【００８３】
上述した第１実施形態では、第１導電体３８及び第２導電体４０が天井パネル２８の内部に配索されていたが、これに限らず、天井パネル２８の上面側に配索されていてもよい。
【図面の簡単な説明】
【００８４】
【図１】第１実施形態に係るＬＥＤ照明用天井の内部及び周辺構造を示す分解図である。
【図２】図１に示されるＬＥＤ照明用天井にＬＥＤ照明器具が取付けられた状態の縦断面図である。
【図３】取付孔とプラス電極及びマイナス電極との配置関係を示す取付孔周囲部の平断面図である。
【図４】（Ａ）、（Ｂ）はＬＥＤ照明器具の固定ダボの動きを示す側面図である。
【図５】第１実施形態に係るＬＥＤ照明用天井の外観斜視図である。
【図６】図５に示される上記ＬＥＤ照明用天井の拡大正面図である。
【図７】第１実施形態に係るＬＥＤ照明用天井を組み込んだ電力供給システムを示す概略構成図である。
【図８】（Ａ）、（Ｂ）は本実施形態の効果を説明するための対比例に係る断面図である。
【図９】第２実施形態の要部に係る配線ダクトの納まりを示す縦断面図である。
【図１０】第１実施形態の取付孔に替えて第２実施形態の配線ダクトを適用した変形例を示す図５に対応するＬＥＤ照明用天井の外観斜視図である。
【符号の説明】
【００８５】
１０      ＬＥＤ照明用天井
１２      ＬＥＤ照明器具
１４      ＬＥＤ照明器具
１６      取付孔（取付部）
２２      天井下地材
２６      断熱材
３０      天井面
３２      プラス電極（給電手段）
３４      マイナス電極（給電手段）
３６      ショート防止溝
３８      第１導電体（給電手段）
４０      第２導電体（給電手段）
４２      受電部
４４      固定用ダボ（固定用突起部）
５２      バッテリ（家庭用直流電源、蓄電池）
５８      商用電力系統電源
６０      外部独立電源
１００    ＬＥＤ照明用天井
１０２    ユニット建物（建物）
１０４    建物ユニット
１０６    隙間
１０８    配線ダクト（取付部、レール）
１０８Ａ  配線ダクト（取付部、レール）
１０８Ｂ  配線ダクト（取付部、レール）
１１０    ＬＥＤ照明器具
１２１    床面
１３０    ＤＣ線（給電手段）
１３２    受電部
１３４    溝（開口）
１４０    ＬＥＤ照明用天井
【図１】
2010129390.tif 000003
【図２】
2010129390.tif 000004
【図３】
2010129390.tif 000005
【図４】
2010129390.tif 000006
【図５】
2010129390.tif 000007
【図６】
2010129390.tif 000008
【図７】
2010129390.tif 000009
【図８】
2010129390.tif 000010
【図９】
2010129390.tif 000011
【図１０】
2010129390.tif 000012